【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
ドップラー・ゲートをスペクトル・ドップラー超音波イメージングに配置する方法において、前記方法は、
トランスデューサアレイから、複数の送信ビームを繰り返し送信するステップ（２６）と、
前記送信するステップ（２６）に応答して、異なる受信位置から複数の信号を繰り返し受信するステップ（２８）と、
異なる時間に前記異なる受信位置を表すＢモード情報を、前記複数の信号の少なくともいくつかから生成するステップ（３０）と、
前記Ｂモード情報を用いて、ドップラー・ゲート位置を追跡するステップ（３２）と、
前記ドップラー・ゲート位置のための第１のスペクトルを、前記追跡されたドップラー・ゲート位置のための前記信号から推定するステップ（４２）と、
前記第１のスペクトルの関数であるイメージを表示するステップ（４４）と、
を含む方法。
【請求項２】
前記追跡するステップ（３２）は、第１の時間の第１の位置から第２の時間の第２の位置までの前記ドップラー・ゲート位置の変化を検出するステップ（３６）を含み、
前記推定するステップ（４２）は、前記第２の位置のための前記信号から推定するステップを含み、
前記方法は、前記第１の位置のための前記信号から、前記ドップラー・ゲート位置のための第２のスペクトルを推定するステップ（４２）をさらに含み、
前記表示するステップ（４４）は、前記異なる時間からの前記ドップラー・ゲート位置を表す、前記第１および第２のスペクトルの関数として前記イメージを表示するステップ（４４）を含む、
請求項１に記載の方法。
【請求項３】
前記送信するステップ（２６）は、
前記トランスデューサアレイの異なる開口から、横方向に間隔を置かれた走査線まで、前記複数のビームを同時に送信するステップ（２６）と、
個別の遅延パターンを前記異なる開口に適用するステップと、
を含む、
請求項１に記載の方法。
【請求項４】
前記受信するステップ（２８）は、前記複数の送信ビームの各々に応答して複数の受信ビームを形成するステップと、
前記受信ビームに対応する追加の受信位置に対する前記信号を、前記異なる受信位置および前記追加の受信位置に対する前記信号が実質的に同時に取得されるように、それぞれ取得するステップと、
を含む、
請求項１に記載の方法。
【請求項５】
前記推定するステップ（４２）は、前記ドップラー・ゲート位置を表す前記信号にフーリエ変換を適用するステップを含み、
前記第１のスペクトルは、周波数の関数としてのエネルギーを具える、
請求項１に記載の方法。
【請求項６】
前記Ｂモード情報を生成するステップ（３０）は、前記異なる時間の各々に対する前記異なる受信位置に対して、前記信号の単一のサンプルから強度を検出するステップ（３６）を含み、
前記推定するステップは、前記追跡されたドップラー・ゲート位置のための前記信号の複数から推定するステップを含み、
前記複数は、前記単一のサンプルの１つを含む、
請求項１に記載の方法。
【請求項７】
前記追跡するステップ（３２）は、前記異なる時間の前記Ｂモード情報の間の最も大きな類似点を有する移動を決定するステップを含み、
前記ドップラー・ゲート位置に対応する前記追跡されたドップラー・ゲート位置は、前記移動によってシフトされる、
請求項１に記載の方法。
【請求項８】
前記表示するステップ（４４）は、経時的に追跡されるように、異なる位置の前記ドップラー・ゲートのためにある前記スペクトルを有するスペクトル・ストリップを表示するステップ（４４）を含む、
請求項１に記載の方法。
【請求項９】
前記経時的に送信するステップ（２６）の送信焦点を前記追跡されたドップラー位置に調整するステップ（４０）をさらに含む、
請求項１に記載の方法。
【請求項１０】
前記ビームの横方向のおよび縦方向の位置を前記追跡されたドップラー・ゲート位置に調整するステップ（４０）をさらに含む、
請求項１に記載の方法。
【請求項１１】
前記信号からＦモード情報を推定するステップ（３４）と、
前記Ｆモード情報に基づき、前記追跡するステップ（３２）を微調整するステップ（３６）と、
をさらに含む、
請求項１に記載の方法。
【請求項１２】
ドップラー・ゲートをスペクトル・ドップラー超音波イメージングに配置するために、プログラムされたプロセッサ（２１）によって実行可能な命令を表しているデータを格納した持続性コンピュータ可読の記憶媒体（２２）において、前記記憶媒体（２２）は、
複数の間隔を置かれた位置の各々のために、信号を経時的に受信する（２８）ための命令と、
前記間隔を置かれた位置の各々のために、個別に、前記信号のスペクトル分析を実行する（３４）ための命令であって、前記スペクトル分析が、スペクトルを、前記間隔を置かれた位置の各々に提供する命令と、
前記間隔を置かれた位置から各スペクトルの特性を検出する（３６）ための命令と、
各スペクトルの前記特性の関数として、前記間隔を置かれた位置の１つにドップラー・ゲート位置を設定する（３８）ための命令と、
前記間隔を置かれた位置の分布を、前記分布の中心が前記設定されたドップラー・ゲート位置にあるように、前記設定されたドップラー・ゲート位置の関数として更新する（４０）ための命令と、
を具える、
持続性コンピュータ可読の記憶媒体（２２）。
【請求項１３】
前記受信する（２８）ための命令は、複数の同時の送信ビームに応答して、可能なドップラー・ゲート位置の集合のために受信すること（２８）を具える、
請求項１２に記載の持続性コンピュータ可読の記憶媒体（２２）。
【請求項１４】
前記スペクトル分析を実行する（３４）ための命令は、前記間隔を置かれた位置の各々のためにスペクトル・ストリップを生成すること（３０）を具える、
請求項１２に記載の持続性コンピュータ可読の記憶媒体（２２）。
【請求項１５】
前記検出する（３６）ための命令は、前記特性として、速度範囲、経時的な形状、強度、速度に対するエネルギーまたはこれらの組合せを検出すること（３６）を具える、
請求項１２に記載の持続性コンピュータ可読の記憶媒体（２２）。
【請求項１６】
前記検出する（３６）ための命令は、前記特性として、信号対雑音比およびクラッタ強度を検出すること（３６）を具える、
請求項１２に記載の持続性コンピュータ可読の記憶媒体（２２）。
【請求項１７】
送信ビーム位置を、前記設定されたドップラー・ゲート位置に集中させるように更新する（４０）ための命令をさらに具える、
請求項１２に記載の持続性コンピュータ可読の記憶媒体（２２）。
【請求項１８】
閾値を上回る運動を検出するための命令と、
前記特性を検出せず、ゲート配置を開始するための命令と、
をさらに具える、
請求項１２に記載の持続性コンピュータ可読の記憶媒体（２２）。
【請求項１９】
パルス波形信号からＢモード情報を生成する（３０）ための命令と、
前記Ｂモード情報用いて前記ドップラー・ゲート位置のための領域を追跡する（３２）ための命令と、
前記追跡（３２）に基づいて、前記間隔を置かれた位置を決定する（４０）ための命令と、
を具える、
請求項１２に記載の持続性コンピュータ可読の記憶媒体（２２）。
【請求項２０】
ドップラー・ゲートをスペクトル・ドップラー超音波イメージングに配置するために、プログラムされたプロセッサ（２１）によって実行可能な命令を表しているデータを格納した持続性コンピュータ可読の記憶媒体（２２）において、前記記憶媒体（２２）は、
複数の間隔を置かれた位置の各々のために、信号を経時的に受信する（２８）ための命令と、
前記信号の少なくともいくつかから異なる時間のＢモード情報を検出する（３６）ための命令と、
前記Ｂモード情報を用いて、位置を経時的に追跡する（３２）ための命令と、
前記追跡された位置の関数として、前記間隔を置かれた位置を更新する（４０）ための命令と、
前記間隔を置かれた位置の各々のために、個別に、前記信号のスペクトル分析を実行する（３４）ための命令であって、前記スペクトル分析が、スペクトルを前記間隔を置かれた位置の各々に提供する命令と、
前記間隔を置かれた位置から各スペクトルの特性を検出する（３６）ための命令と、
各スペクトルの前記特性の関数として、前記間隔を置かれた位置の１つにドップラー・ゲート位置を設定する（３８）ための命令と、
を具える、
持続性コンピュータ可読の記憶媒体（２２）。